(57)【要約】【課題】  光源部の剛性不足による不具合を抑制可能なＬＥＤ照明器具を提供すること。【解決手段】  各々がｘ方向を長手方向とする細長状であり且つそれぞれに複数のＬＥＤ２３が搭載された第１ＬＥＤ基板２１および第２ＬＥＤ基板２２を有する光源部２と、ｘ方向を長手方向とする細長状であり且つｚ方向一方側を向くとともに第１ＬＥＤ基板２１が配置された第１面１１１、およびｘ方向を長手方向とする細長状であり且つｚ方向他方側を向くとともに第２ＬＥＤ基板２２が配置された第２面１２１、を有する支持部材１と、光源部２および支持部材１を収容し且つＬＥＤ２３からの光を透過させるカバー３と、を備えたＬＥＤ照明器具Ａ１であって、支持部材１は、各々がｘ方向を長手方向とする細長状であり且つｚ方向に空隙部１９を挟んで互いに離間する第１部１１および第２部１２と、第１部１１および第２部１２を連結する連結部１３と、を有し、第１部１１が第１面１１１を有し、第２部１２が第２面１２１を有する。【選択図】  図８
2019220322.tif 000002
【特許請求の範囲】
【請求項１】
各々が第１方向を長手方向とする細長状であり且つそれぞれに複数のＬＥＤが搭載された第１ＬＥＤ基板および第２ＬＥＤ基板を有する光源部と、
前記第１方向を長手方向とする細長状であり且つ前記第１方向と直角である第２方向一方側を向くとともに前記第１ＬＥＤ基板が配置された第１面、および前記第１方向を長手方向とする細長状であり且つ前記第２方向他方側を向くとともに前記第２ＬＥＤ基板が配置された第２面、を有する支持部材と、
前記光源部および前記支持部材を収容し且つ前記ＬＥＤからの光を透過させるカバーと、を備えたＬＥＤ照明器具であって、
前記支持部材は、各々が前記第１方向を長手方向とする細長状であり且つ前記第２方向に空隙部を挟んで互いに離間する第１部および第２部と、前記第１部および前記第２部を連結する連結部と、を有し、
前記第１部が前記第１面を有し、前記第２部が前記第２面を有することを特徴とする、ＬＥＤ照明器具。
【請求項２】
前記連結部は、前記第１部に繋がり且つ前記第１方向および前記第２方向と直角である第３方向において前記第１部から離間するほど前記第２方向において前記第２部に近づくように傾斜した第１傾斜部を有する、請求項１に記載のＬＥＤ照明器具。
【請求項３】
前記連結部は、前記第２部に繋がり且つ前記第３方向において前記第２部から離間するほど前記第２方向において前記第１部に近づくように傾斜した第２傾斜部を有する、請求項２に記載のＬＥＤ照明器具。
【請求項４】
前記第２部の前記第３方向寸法は、前記第１部の前記第３方向寸法よりも大きく、
前記第１傾斜部は、前記第２部に繋がる、請求項２に記載のＬＥＤ照明器具。
【請求項５】
前記支持部材は、前記第１部および前記第２部の前記第３方向両側に、一対の前記連結部を有する、請求項２ないし４のいずれかに記載のＬＥＤ照明器具。
【請求項６】
電源部品および前記電源部品が搭載された電源基板を有し、前記ＬＥＤに電力を供給する電源部をさらに備え、
前記電源部の少なくとも一部は、前記支持部材の前記空隙部に収容されている、請求項１ないし５のいずれかに記載のＬＥＤ照明器具。
【請求項７】
前記第１部、前記第２部および前記連結部の少なくともいずれかの厚さは、前記第１ＬＥＤ基板、第２ＬＥＤ基板および前記電源基板の少なくともいずれかの厚さよりも厚い、請求項６に記載のＬＥＤ照明器具。
【発明の詳細な説明】
【技術分野】
【０００１】
本発明は、ＬＥＤ照明器具に関する。
【背景技術】
【０００２】
ＬＥＤを用いたＬＥＤ照明器具は、たとえば蛍光灯等の代替照明装置として普及している。特許文献１には、従来のＬＥＤ照明器具の一例が開示されている。同文献に開示されたＬＥＤ照明器具は、ＬＥＤ基板に配列された複数のＬＥＤを有する光源部と、光源部を覆うカバーとを備える。カバーは、光源部からの光を透過させる材質からなり、円筒形状である。光源部は、１枚の細長状の基板の両面に複数のＬＥＤがそれぞれ実装されている。このような構成により、このＬＥＤ照明器具は、ＬＥＤ基板の厚さ方向両側に光を発する。このようなＬＥＤ照明器具の用途例としては、たとえば店頭の自発光式看板が挙げられる。自発光式看板は、正面側および背面側の双方から視認されるため、両側に発光可能なＬＥＤ照明器具が適している。
【先行技術文献】
【特許文献】
【０００３】
【特許文献１】特開２０１２−２０４１８７号公報
【発明の概要】
【発明が解決しようとする課題】
【０００４】
しかしながら、１枚のＬＥＤ基板の両面に複数のＬＥＤが実装されているため、ＬＥＤ基板の表面および裏面の双方に、たとえば金属製の支持部材が設けられていない。このため、ＬＥＤ基板（光源部）の剛性が不足し、製造過程等において不当な撓みが生じてしまうという問題があった。
【０００５】
本発明は、上記した事情のもとで考え出されたものであって、光源部の剛性不足による不具合を抑制可能なＬＥＤ照明器具を提供することをその課題とする。
【課題を解決するための手段】
【０００６】
本発明によって提供されるＬＥＤ照明器具は、各々が第１方向を長手方向とする細長状であり且つそれぞれに複数のＬＥＤが搭載された第１ＬＥＤ基板および第２ＬＥＤ基板を有する光源部と、前記第１方向を長手方向とする細長状であり且つ前記第１方向と直角である第２方向一方側を向くとともに前記第１ＬＥＤ基板が配置された第１面、および前記第１方向を長手方向とする細長状であり且つ前記第２方向他方側を向くとともに前記第２ＬＥＤ基板が配置された第２面、を有する支持部材と、前記光源部および前記支持部材を収容し且つ前記ＬＥＤからの光を透過させるカバーと、を備えたＬＥＤ照明器具であって、前記支持部材は、各々が前記第１方向を長手方向とする細長状であり且つ前記第２方向に空隙部を挟んで互いに離間する第１部および第２部と、前記第１部および前記第２部を連結する連結部と、を有し、前記第１部が前記第１面を有し、前記第２部が前記第２面を有することを特徴としている。
【０００７】
本発明の好ましい実施の形態においては、前記連結部は、前記第１部に繋がり且つ前記第１方向および前記第２方向と直角である第３方向において前記第１部から離間するほど前記第２方向において前記第２部に近づくように傾斜した第１傾斜部を有する。
【０００８】
本発明の好ましい実施の形態においては、前記連結部は、前記第２部に繋がり且つ前記第３方向において前記第２部から離間するほど前記第２方向において前記第１部に近づくように傾斜した第２傾斜部を有する。
【０００９】
本発明の好ましい実施の形態においては、前記第２部の前記第３方向寸法は、前記第１部の前記第３方向寸法よりも大きく、前記第１傾斜部は、前記第２部に繋がる。
【００１０】
本発明の好ましい実施の形態においては、前記支持部材は、前記第１部および前記第２部の前記第３方向両側に、一対の前記連結部を有する。
【００１１】
本発明の好ましい実施の形態においては、電源部品および前記電源部品が搭載された電源基板を有し、前記ＬＥＤに電力を供給する電源部をさらに備え、前記電源部の少なくとも一部は、前記支持部材の前記空隙部に収容されている。
【００１２】
本発明の好ましい実施の形態においては、前記第１部、前記第２部および前記連結部の少なくともいずれかの厚さは、前記第１ＬＥＤ基板、第２ＬＥＤ基板および前記電源基板の少なくともいずれかの厚さよりも厚い。
【発明の効果】
【００１３】
本発明によれば、光源部の剛性不足による不具合を抑制できる。
【００１４】
本発明のその他の特徴および利点は、添付図面を参照して以下に行う詳細な説明によって、より明らかとなろう。
【図面の簡単な説明】
【００１５】
【図１】本発明の第１実施形態に係るＬＥＤ照明器具を示す斜視図である。
【図２】本発明の第１実施形態に係るＬＥＤ照明器具を示す要部斜視図である。
【図３】（ａ）は、本発明の第１実施形態に係るＬＥＤ照明器具を示す平面図であり、（ｂ）は、正面図である。
【図４】（ａ）は、本発明の第１実施形態に係るＬＥＤ照明器具を示す左側面図であり、（ｂ）は、右側面図である。
【図５】本発明の第１実施形態に係るＬＥＤ照明器具を示す拡大分解斜視図である。
【図６】本発明の第１実施形態に係るＬＥＤ照明器具を示す拡大分解斜視図である。
【図７】本発明の第１実施形態に係るＬＥＤ照明器具を示す要部拡大斜視図である。
【図８】図３（ｂ）のＶＩＩＩ−ＶＩＩＩ線に沿う断面図である。
【図９】本発明の第１実施形態に係るＬＥＤ照明器具を示す拡大断面斜視図である。
【図１０】図３（ａ）のＸ−Ｘ線に沿う要部断面図である。
【図１１】図３（ｂ）のＸＩ−ＸＩ線に沿う要部断面図である。
【図１２】（ａ）は、本発明の第１実施形態に係るＬＥＤ照明器具の支持部材を示す要部拡大平面図であり、（ｂ）は、要部拡大底面図である。
【図１３】図１２（ａ）のＸＩＩＩ−ＸＩＩＩ線に沿う断面図である。
【図１４】本発明の第２実施形態に係るＬＥＤ照明器具を示す拡大断面斜視図である。
【図１５】本発明の第２実施形態に係るＬＥＤ照明器具を示す要部断面図である。
【図１６】本発明の第２実施形態に係るＬＥＤ照明器具の支持部材を示す断面図である。
【図１７】（ａ）は、本発明の第３実施形態に係るＬＥＤ照明器具を示す断面図であり、（ｂ）は、第１変形例を示す断面図であり、（ｃ）は、第２変形例を示す断面図であり、（ｃ）は、第３変形例を示す断面図である。
【発明を実施するための形態】
【００１６】
以下、本発明の好ましい実施の形態につき、図面を参照して具体的に説明する。
【００１７】
本開示における「第１」、「第２」等の用語は、単にラベルとして用いたものであり、それらの対象物に順列を付することを意図していない。
【００１８】
＜第１実施形態＞
図１〜図１３は、本発明の第１実施形態に係るＬＥＤ照明器具を示している。本実施形態のＬＥＤ照明器具は、支持部材１、光源部２、カバー３、キャップ４Ａ，４Ｂ、内ホルダ５Ａ，５Ｂ、外ホルダ６および電源部７を備えている。ＬＥＤ照明器具Ａ１は、ｘ方向を長手方向とする細長状の照明装置であり、本実形態においては、直管形蛍光灯に類似した形状の照明装置とされている。また、ＬＥＤ照明器具Ａ１は、ｚ方向両側に発光可能である。ＬＥＤ照明器具Ａ１の用途は特に限定されず、たとえば店頭の自発光式看板の光源として用いられる。
【００１９】
図１は、ＬＥＤ照明器具Ａ１を示す斜視図である。図２は、ＬＥＤ照明器具Ａ１を示す要部斜視図である。図３の（ａ）は、ＬＥＤ照明器具Ａ１を示す平面図であり、（ｂ）は、正面図である。図４の（ａ）は、ＬＥＤ照明器具Ａ１を示す左側面図であり、（ｂ）は、右側面図である。図５は、ＬＥＤ照明器具Ａ１を示す拡大分解斜視図である。図６は、ＬＥＤ照明器具Ａ１を示す拡大分解斜視図である。図７は、ＬＥＤ照明器具Ａ１を示す要部拡大斜視図である。図８は、図３（ｂ）のＶＩＩＩ−ＶＩＩＩ線に沿う断面図である。図９は、ＬＥＤ照明器具Ａ１を示す拡大断面斜視図である。図１０は、図３（ａ）のＸ−Ｘ線に沿う要部断面図である。図１１は、図３（ｂ）のＸＩ−ＸＩ線に沿う要部断面図である。図１２の（ａ）は、ＬＥＤ照明器具Ａ１の支持部材を示す要部拡大平面図であり、（ｂ）は、要部拡大底面図である。図１３は、図１２（ａ）のＸＩＩＩ−ＸＩＩＩ線に沿う断面図である。これらの図において、ｘ方向は、第１方向に相当し、ｚ方向は、第２方向に相当し、ｙ方向は、第３方向に相当する。
【００２０】
〔支持部材１〕
支持部材１は、光源部２を支持するものであり、本実施形態においては、図５、図６および図８〜図１１に示すように、カバー３に収容されている。図８〜図１３に示すように、本実施形態の支持部材１は、第１部１１、第２部１２、一対の連結部１３、一対の第１保持部１４、一対の第２保持部１５および空隙部１９を有している。支持部材１の材質は特に限定されず、図示された例においては、たとえばアルミ等の金属からなる。このような構成の支持部材１は、光源部２からの熱を放熱するのに適している。本実施形態の支持部材１は、ｙｚ平面に沿う断面形状が一定である。
【００２１】
第１部１１は、ｘ方向を長手方向とし、ｙ方向を幅方向とし、ｚ方向を厚さ方向とする、細長状の部位である。第１部１１は、第１面１１１を有する。第１面１１１は、ｘ方向を長手方向とし、ｙ方向を幅方向とする細長状の面であり、ｚ方向一方側を向いている。
【００２２】
第２部１２は、ｘ方向を長手方向とし、ｙ方向を幅方向とし、ｚ方向を厚さ方向とする、細長状の部位である。第２部１２は、第２面１２１を有する。第２面１２１は、ｘ方向を長手方向とし、ｙ方向を幅方向とする細長状の面であり、第１面１１１が向く側と反対側であるｚ方向一方側を向いている。
【００２３】
空隙部１９は、第１部１１と第２部１２との間に介在している。言い換えると、第１部１１と第２部１２とは、空隙部１９を挟んでｚ方向に互いに離間している。
【００２４】
一対の連結部１３は、第１部１１と第２部１２とを連結している。本実施形態においては、第１部１１および第２部１２のｙ方向両側に一対の連結部１３が設けられているが、ｙ方向片側のみに連結部１３が設けられた構成であってもよい。
【００２５】
連結部１３の具体的構成は特に限定されず、本実施形態においては、連結部１３は、第１傾斜部１３１、第２傾斜部１３２、円弧状部１３３および一対のリブ１３４を有する。
【００２６】
第１傾斜部１３１は、第１部１１に繋がり且つｙ方向において第１部１１から離間するほどｚ方向において第２部１２に近づくように傾斜している。図示された例においては、第１傾斜部１３１は、ｘ方向を長手方向とする細長状である。
【００２７】
第２傾斜部１３２は、第２部１２に繋がり且つｙ方向において第２部１２から離間するほどｚ方向において第１部１１に近づくように傾斜している。図示された例においては、第２傾斜部１３２は、ｘ方向を長手方向とする細長状である。
【００２８】
図示された例においては、第１傾斜部１３１および第２傾斜部１３２がｙ方向となす角度は、略同じである。また、第１傾斜部１３１および第２傾斜部１３２のｙ方向寸法は、略同じである。
【００２９】
円弧状部１３３は、第１傾斜部１３１のｙ方向端部と第２傾斜部１３２のｙ方向端部とを繋いでいる。円弧状部１３３は、ｘ方向と直角である断面が、円弧形状である。図示された例においては、円弧状部１３３の円弧形状の両端が第１傾斜部１３１および第２傾斜部１３２に繋がっている。円弧状部１３３は、たとえば、図１１に示す内ホルダ５Ａの内端板部５２Ａと支持部材１とを固定するねじを取り付けるために用いられる。
【００３０】
一対のリブ１３４は、円弧状部１３３のｙ方向外側に繋がっている。一対のリブ１３４は、ｚ方向に互いに離間している。リブ１３４の形状は特に限定されず、図示された例においては、ｘ方向を長手方向とする細長状である。
【００３１】
一対の第１保持部１４は、第１部１１のｙ方向両端付近からｚ方向に突出している。図示された例においては、第１保持部１４は、ｚ方向に起立する部分と、ｙ方向内方に突出する部分とを有する断面Ｌ字状である。一対の第１保持部１４は、後述の第１ＬＥＤ基板２１を保持するための部位である。
【００３２】
一対の第２保持部１５は、第２部１２のｙ方向両端付近からｚ方向に突出している。図示された例においては、第２保持部１５は、ｚ方向に起立する部分と、ｙ方向内方に突出する部分とを有する断面Ｌ字状である。一対の第２保持部１５は、後述の第２ＬＥＤ基板２２を保持するための部位である。一対の第１保持部１４のｙ方向距離と、一対の第２保持部１５のｙ方向距離とは、略同じである。
【００３３】
〔光源部２〕
光源部２は、ＬＥＤ照明器具Ａ１の光源であり、本実施形態においては、図２、図５〜図１０に示すように、第１ＬＥＤ基板２１、第２ＬＥＤ基板２２および複数のＬＥＤ２３を有する。
【００３４】
第１ＬＥＤ基板２１は、片面に複数のＬＥＤ２３が搭載されたものであり、ｘ方向を長手方向とし、ｙ方向を幅方向とし、ｚ方向を厚さ方向とする、長矩形状である。第１ＬＥＤ基板２１は、たとえばガラスエポキシ樹脂やセラミックス等の絶縁性材料からなる基材と、この基材上に形成された配線パターン（図示略）とからなる。図８および図９に示すように、第１ＬＥＤ基板２１は、支持部材１の第１部１１の第１面１１１上に配置されている。また、図示された例においては、第１ＬＥＤ基板２１は、一対の第１保持部１４によって保持されている。第１ＬＥＤ基板２１は、たとえば第１部１１の第１面１１１に接着材や接着テープ等によって接合されていてもよい。
【００３５】
第２ＬＥＤ基板２２は、片面に複数のＬＥＤ２３が搭載されたものであり、ｘ方向を長手方向とし、ｙ方向を幅方向とし、ｚ方向を厚さ方向とする、長矩形状である。第２ＬＥＤ基板２２は、たとえばガラスエポキシ樹脂やセラミックス等の絶縁性材料からなる基材と、この基材上に形成された配線パターン（図示略）とからなる。図８および図９に示すように、第２ＬＥＤ基板２２は、支持部材１の第２部１２の第２面１２１上に配置されている。また、図示された例においては、第２ＬＥＤ基板２２は、一対の第２保持部１５によって保持されている。第２ＬＥＤ基板２２は、たとえば第２部１２の第２面１２１に接着材や接着テープ等によって接合されていてもよい。
【００３６】
複数のＬＥＤ２３は、通電されることによって発光する発光体であり、第１ＬＥＤ基板２１の片面および第２ＬＥＤ基板２２の片面においてｘ方向に配列されている。図示された例においては、複数のＬＥＤ２３は、ｘ方向に１列に配置されているが、ｘ方向に複数列に配置されていてもよい。
【００３７】
ＬＥＤ２３は、ＬＥＤチップ（図示略）を含む。ＬＥＤ２３は、ＬＥＤチップ単体からなるものでも、ＬＥＤチップ以外の構成要素を含むものであってもよい。ＬＥＤ２３の構成例としては、たとえばＬＥＤチップが搭載されたモジュール基板またはリードと、ＬＥＤチップを覆う透光樹脂とを含む構成が挙げられる。ＬＥＤチップの発光色は特に限定されず、たとえば青色光を発する。また、透光樹脂は、たとえば透明な樹脂に蛍光材料が混入された材質によって形成される。この蛍光材料は、ＬＥＤチップからの青色光によって励起されることにより、黄色光を発する。このような構成により、ＬＥＤ２３は、白色光を発する構成とすることができる。
【００３８】
〔カバー３〕
カバー３は、支持部材１および光源部２を収容しており、光源部２の複数のＬＥＤ２３からの光を透過させる材質からなる。図１、図３、図５および図６に示すように、本実施形態においては、カバー３は、ｘ方向を長手方向とする円筒形状である。カバー３の材質は特に限定されず、光源部２からの光を透過させる透明または半透明の樹脂等からなる。本実施形態においては、カバー３は、半透明の乳白色の樹脂からなる。
【００３９】
図８に示すように、本実施形態のカバー３は、一対のリブ３１を有する。一対のリブ３１は、カバー３の内周面からｙ方向内方に突出しており、ｘ方向に長く延びている。一対のリブ３１は、カバー３を内ホルダ５Ａに固定または位置決めするためのものである。
【００４０】
〔キャップ４Ａ，４Ｂ〕
キャップ４Ａおよびキャップ４Ｂは、図１〜図６に示すように、支持部材１およびカバー３のｘ方向両端に分かれて配置されている。キャップ４Ａおよびキャップ４Ｂの材質は特に限定されず、たとえばＡＢＳ樹脂等の樹脂材料からなる。
【００４１】
キャップ４Ａは、支持部材１およびカバー３に対してｘ方向一方側に配置されており、カバー３のｘ方向一方側の開口を塞いでいる。図４、図６、図１０および図１１に示すように、本実施形態においては、キャップ４Ａは、端板部４１Ａ、筒状部４２Ａ、ケーブル孔４３Ａ、複数のボルト孔４４Ａ、複数の位置決め突起４５Ａ、複数のボルトキャップ４６Ａを有する。
【００４２】
端板部４１Ａは、ｘ方向一方側端に位置する板状の部位である。図示された例においては、端板部４１Ａは、円板状でありｘ方向に対して略直角である。筒状部４２Ａは、端板部４１Ａからｘ方向他方側に向かって延びる筒状の部位である。図示された例においては、筒状部４２Ａは、端板部４１Ａからｘ方向に離間するほど直径が大きくなるテーパ円筒状である。
【００４３】
ケーブル孔４３Ａは、端板部４１Ａをｘ方向に貫通している。ケーブル孔４３Ａは、後述のケーブル８１を挿通するためのものである。複数のボルト孔４４Ａは、端板部４１Ａをｘ方向に貫通している。ボルト孔４４Ａは、キャップ４Ａと後述の内ホルダ５Ａとを固定するためのボルトを挿通するためのものである。図４に示すように、図示された例においては、２つのボルト孔４４Ａが設けられている。
【００４４】
図６に示すように、複数の位置決め突起４５Ａは、筒状部４２Ａの外表面に設けられており、筒状部４２Ａから突出している。複数の位置決め突起４５Ａは、外ホルダ６をキャップ４Ａに対して位置決めするためのものである。複数の位置決め突起４５Ａの個数は特に限定されず、図示された例においては、ｘ方向両側に分かれた２つの位置決め突起４５Ａが設けられている。
【００４５】
図５に示すように、複数のボルトキャップ４６Ａは、複数のボルト孔４４Ａを気密状態で塞ぐためのものであり、たとえばゴムやシリコーン樹脂からなる。複数のボルトキャップ４６Ａの個数は特に限定されず、図示された例においては、２つのボルトキャップ４６Ａが設けられている。
【００４６】
キャップ４Ｂは、支持部材１およびカバー３に対してキャップ４Ａとは反対側のｘ方向他方側に配置されており、カバー３のｘ方向他方側の開口を塞いでいる。図４および図５に示すように、本実施形態においては、キャップ４Ｂは、端板部４１Ｂ、筒状部４２Ｂ、複数のボルト孔４４Ｂ、複数の位置決め突起４５Ｂ、複数のボルトキャップ４６Ｂを有する。
【００４７】
端板部４１Ｂは、ｘ方向他方側端に位置する板状の部位である。図示された例においては、端板部４１Ｂは、略楕円板状でありｘ方向に対して傾いている。筒状部４２Ｂは、端板部４１Ｂからｘ方向一方側に向かって延びる筒状の部位である。図示された例においては、筒状部４２Ｂは、端板部４１Ｂからｘ方向に離間するほど直径が大きくなるテーパ円筒状である。
【００４８】
複数のボルト孔４４Ｂは、端板部４１Ｂをｘ方向に貫通している。ボルト孔４４Ｂは、ＬＥＤ照明器具Ａ１の所望の部位を互いに固定するためのボルトを挿通するために用いることが可能である。図４に示すように、図示された例においては、２つのボルト孔４４Ｂが設けられている。なお、本実施形態においては、ボルト孔４４Ｂを挿通するボルトは設けられていない。
【００４９】
図５に示すように、複数の位置決め突起４５Ｂは、筒状部４２Ｂの外表面に設けられており、筒状部４２Ｂから突出している。複数の位置決め突起４５Ｂは、外ホルダ６をキャップ４Ｂに対して位置決めするためのものである。複数の位置決め突起４５Ｂの個数は特に限定されない。
【００５０】
図６に示すように、複数のボルトキャップ４６Ｂは、複数のボルト孔４４Ｂを気密状態で塞ぐためのものであり、たとえばゴムやシリコーン樹脂からなる。複数のボルトキャップ４６Ｂの個数は特に限定されず、図示された例においては、２つのボルトキャップ４６Ｂが設けられている。
【００５１】
〔内ホルダ５Ａ，５Ｂ〕
内ホルダ５Ａおよび内ホルダ５Ｂは、カバー３、キャップ４Ａおよびキャップ４Ｂによって囲まれた空間において、支持部材１を保持するためものである。内ホルダ５Ａおよび内ホルダ５Ｂの材質は特に限定されず、たとえばＡＢＳ樹脂等の樹脂材料からなる。
【００５２】
内ホルダ５Ａは、図６、図７、図１０および図１１に示すように、外端板部５１Ａ、内端板部５２Ａ、支持部材係合部５３Ａ、支持板部５４Ａおよび複数の係止爪５５Ａを有する。
【００５３】
外端板部５１Ａは、ｘ方向一方側に位置しており、板状の部位である。図示された例においては、外端板部５１Ａは、ｘ方向に対して直角である。内端板部５２Ａが、ｘ方向他方側に位置しており、板状の部位である。図示された例においては、内端板部５２Ａは、ｘ方向に対して直角である。また、内端板部５２Ａは、ｘ方向視において略円環形状である。
【００５４】
支持板部５４Ａは、外端板部５１Ａおよび内端板部５２Ａを繋いでおり、ｘ方向を長手方向とする細長状の板状の部位である。図示された例においては、支持板部５４Ａは、ｙ方向に対して直角である。
【００５５】
支持部材係合部５３Ａは、内端板部５２Ａからｘ方向他方側に向かって突出している。支持部材係合部５３Ａは、支持部材１のｘ方向一方側端と係合することにより、内ホルダ５Ａによる支持部材１の保持を実現する部位である。
【００５６】
複数の係止爪５５Ａは、支持板部５４Ａからｙ方向に突出している。図示された例においては、複数の係止爪５５Ａが、支持板部５４Ａのｚ方向両側端に設けられている。係止爪５５Ａは、ｙ方向先端に鉤状部分を有している。複数の係止爪５５Ａは、電源部７を保持するためのものである。
【００５７】
内ホルダ５Ｂは、図５に示すように、支持部材係合部５３Ｂを有する。支持部材係合部５３Ｂは、支持部材１のｘ方向他方側端と係合することにより、内ホルダ５Ｂによる支持部材１の保持を実現するためのものである。内ホルダ５Ｂは、たとえばキャップ４Ｂに設けられたリブ（図示略）に係合や嵌合することにより、キャップ４Ｂに対して固定されている。
【００５８】
〔外ホルダ６〕
外ホルダ６は、キャップ４Ａまたはキャップ４Ｂに外側から装填されることにより、キャップ４Ａとカバー３との隙間、またはキャップ４Ｂとカバー３との隙間を密閉するためのものである。図１および図２に示すように、本実施形態においては、２つの外ホルダ６が設けられている。
【００５９】
図５および図６に示すように、一方の外ホルダ６は、キャップ４Ａとカバー３との結合部分に装填されており、他方の外ホルダ６は、キャップ４Ｂとカバー３との結合部分に装填されている。外ホルダ６の材質は特に限定されず、たとえばＡＢＳ樹脂等の樹脂材料からなる。
【００６０】
本実施形態においては、外ホルダ６は、半筒部６１および半筒部６２を有する。半筒部６１および半筒部６２は、互いに係合することにより、円筒形状の外ホルダ６を構成する部材である。
【００６１】
半筒部６１は、係合爪６１１、係合部６１２および複数の位置決め孔６１３を有する。係合爪６１１および係合部６１２は、半筒部６２と係合するためのものである。係合爪６１１は、ｙ方向に突出しており、先端に鉤状部分を有する。係合部６１２は、鉤状部分が係合可能な形状とされている。複数の位置決め孔６１３は、キャップ４Ａの位置決め突起４５Ａまたはキャップ４Ｂの位置決め突起４５Ｂと係合することにより、位置決めを行うためのものである。
【００６２】
半筒部６２は、係合爪６２１、係合部６２２および複数の位置決め孔６２３を有する。係合爪６２１および係合部６２２は、半筒部６１と係合するためのものである。係合爪６２１は、ｙ方向に突出しており、先端に鉤状部分を有する。係合爪６２１は、半筒部６１の係合爪６２１と対向する位置に設けられている。係合部６２２は、鉤状部分が係合可能な形状とされており、半筒部６１の係合爪６１１と対向する位置に設けられている。半筒部６１と半筒部６２とを合体させる際には、係合爪６１１と係合部６２２とを係合させ、係合部６１２と係合爪６２１とを係合させる。複数の位置決め孔６２３は、キャップ４Ａの位置決め突起４５Ａまたはキャップ４Ｂの位置決め突起４５Ｂと係合することにより、位置決めを行うためのものである。
【００６３】
本実施形態においては、図５、図６、図１０および図１１に示すように、２つのＯリング８２が設けられている。Ｏリング８２は、キャップ４Ａとカバー３との隙間、およびキャップ４Ｂとカバー３との隙間を密閉するための部材であり、たとえばゴムやシリコーン樹脂からなる。Ｏリング８２は、外ホルダ６が装填されと、適度な押圧力によって固定される。
【００６４】
〔電源部７〕
電源部７は、複数のＬＥＤ照明器具Ａ１を点灯させるための電力を供給するものである。たとえば、電源部７は、商用の交流電力を、ＬＥＤ照明器具Ａ１（光源部２）の点灯に適した直流電力に変換する。本実施形態においては、図６、図７、図１０および図１１に示すように、電源部７は、電源基板７１および複数の電子部品７２を有する。図示された例においては、電源部７は、そのすべてがキャップ４Ａに収容されている。
【００６５】
電源基板７１は、たとえばガラスエポキシ樹脂からなる基材と、当該基材上に形成された配線パターン（図示略）とを有している。図６および図１０に示すように、図示された例においては、電源基板７１は、複数の係止部７１１を有する。係止部７１１は、電源基板７１の一部がｙ方向に沿う辺を有するように成形された部位である。複数の係止部７１１には、内ホルダ５Ａの複数の係止爪５５Ａが係合する。これにより、電源基板７１は、内ホルダ５Ａに対して脱着可能に保持される。なお、図示された例とは異なり、電源部７の一部またはすべてが、支持部材１の空隙部１９に収容される構成であってもよい。
【００６６】
複数の電子部品７２は、電源部７の電力変換機能を実現する電気回路を構築するためのものである。複数の電子部品７２は、電源基板７１に実装されており、その個数や種類は特に限定されない。複数の電子部品７２を例示すると、たとえばトランス、コンデンサ、ダイオード、抵抗器等である。電源部７には、ケーブル８１が接続される。また、電源部７からは図示しないケーブルが第１ＬＥＤ基板２１および第２ＬＥＤ基板２２に接続されている。
【００６７】
次に、ＬＥＤ照明器具Ａ１の作用について説明する。
【００６８】
本実施形態によれば、図８に示すように、第１ＬＥＤ基板２１は、第１面１１１上に配置されており、第２ＬＥＤ基板２２は、第２面１２１上に配置されている。第１面１１１は、第１部１１の表面であり、第２面１２１は、第２部１２の表面である。第１部１１および第２部１２は、空隙部１９を挟んで、ｚ方向に離間しており連結部１３によって連結されている。これにより、支持部材１は、曲げや捻じれに対する剛性が高められており、第１ＬＥＤ基板２１や第２ＬＥＤ基板２２の製造過程等における不当な撓み等を抑制することが可能である。したがって、ＬＥＤ照明器具Ａ１によれば、光源部２の剛性不足による不具合を抑制することができる。なお、支持部材１が、空隙部１９を有することにより、支持部材１の剛性を向上させつつ、支持部材１の軽量化を図ることができる。
【００６９】
また、本実施形態の連結部１３は、第１傾斜部１３１および第２傾斜部１３２を有する。第１傾斜部１３１および第２傾斜部１３２を有することにより、連結部１３は、ｚ方向視においてｙ方向に突出する山形状となっている。これにより、支持部材１の剛性をさらに高めることができる。
【００７０】
また、支持部材１は、第１部１１および第２部１２のｙ方向両側に一対の連結部１３を有する。これは、支持部材１のさらなる剛性向上に有利であるとともに、支持部材１に偏った変形が生じることを防止することができる。
【００７１】
図１４〜図１７は、本発明の他の実施形態を示している。なお、これらの図において、上記実施形態と同一または類似の要素には、上記実施形態と同一の符号を付している。
【００７２】
＜第２実施形態＞
図１４〜図１６は、本発明の第２実施形態に係るＬＥＤ照明器具を示している。図１４は、本実施形態のＬＥＤ照明器具Ａ２を示す要部断面斜視図である。図１５は、ＬＥＤ照明器具Ａ２を示す断面図である。図１６は、ＬＥＤ照明器具Ａ２の支持部材１を示す断面図である。
【００７３】
本実施形態においては、上述したＬＥＤ照明器具Ａ１と異なり、第２部１２のｙ方向寸法は、第１部１１のｙ方向寸法よりも大きい。第１部１１のｙ方向中心と第２部１２のｙ方向中心とは、略一致している。また、一対の第１保持部１４のｙ方向距離と一対の第２保持部１５のｙ方向距離とは、略同じである。
【００７４】
本実施形態の連結部１３は、上述したＬＥＤ照明器具Ａ１の連結部１３と異なり、第１傾斜部１３１および円弧状部１３３を有しており、第２傾斜部１３２を有していない。第１傾斜部１３１は、円弧状部１３３を介して第２部１２のｙ方向端と繋がっている。このような構成により、本実施形態の支持部材１は、ｘ方向視において略台形状である。
【００７５】
図１５に示すように、本実施形態においては、電源部７が支持部材１の空隙部１９に収容されている。図示された例においては、電源部７（電源基板７１）のすべてが空隙部１９に収容されているが、図示された例とは異なり、電源部７（電源基板７１）の一部のみが空隙部１９に収容された構成であってもよい。
【００７６】
本実施形態によっても、光源部２の剛性不足による不具合を抑制することができる。また、本実施形態においては、図１５に示すように、電源部７（電源基板７１）の少なくとも一部が支持部材１の空隙部１９に収容されている。これにより、キャップ４Ａに収容される電源部７の大きさを縮小したり省いたりすることが可能であり、キャップ４Ａを小型化することができる。これにより、ＬＥＤ照明器具Ａ２のｘ方向全長に対する支持部材１およびカバー３が占める割合を高めることが可能であり、ひいては、第１ＬＥＤ基板２１および第２ＬＥＤ基板２２を延長することができる。これは、ＬＥＤ照明器具Ａ２のより広い領域を発光領域とするのに寄与する。
【００７７】
＜第３実施形態＞
図１７は、本発明の第３実施形態に係るＬＥＤ照明器具を示している。同図（ａ）は、本実施形態のＬＥＤ照明器具Ａ３を示す断面図である。同図（ｂ）は、ＬＥＤ照明器具Ａ３の第１変形例であるＬＥＤ照明器具Ａ３１を示す断面図である。同図（ｃ）は、ＬＥＤ照明器具Ａ３の第２変形例であるＬＥＤ照明器具Ａ３２を示す断面図である。同図（ｄ）は、ＬＥＤ照明器具Ａ３の第３変形例であるＬＥＤ照明器具Ａ３３を示す断面図である。
【００７８】
同図（ａ）に示すＬＥＤ照明器具Ａ３の支持部材１は、上述した実施形態と同様に第１部１１、第２部１２および一対の連結部１３を有する。本実施形態においては、連結部１３は、ｘ方向を長手方向とし、ｙ方向に対して直角である細長い板状部位である。これにより、本実施形態の支持部材１は、ｘ方向視において略矩形状である。なお、このような支持部材１の形状は、以下に述べる支持部材１の各部の板厚関係の説明の便宜であり、連結部１３の具体的形状は特に限定されない。
【００７９】
ＬＥＤ照明器具Ａ３においては、第２部１２の厚さが、第１部１１および一対の連結部１３よりも厚い。第２部１２の厚さは、第１ＬＥＤ基板２１および第２ＬＥＤ基板２２の厚さよりも厚い。また、第２部１２の厚さは、電源部７の電源基板７１の厚さよりも厚くてもよい。第１部１１および一対の連結部１３の厚さは、第１ＬＥＤ基板２１、第２ＬＥＤ基板２２および電源基板７１よりも薄い。
【００８０】
同図（ｂ）に示すＬＥＤ照明器具Ａ３１においては、第１部１１および第２部１２の厚さが、一対の連結部１３よりも厚い。第１部１１および第２部１２の厚さは、第１ＬＥＤ基板２１および第２ＬＥＤ基板２２の厚さよりも厚い。また、第１部１１および第２部１２の厚さは、電源部７の電源基板７１の厚さよりも厚くてもよい。一対の連結部１３の厚さは、第１ＬＥＤ基板２１、第２ＬＥＤ基板２２および電源基板７１よりも薄い。
【００８１】
同図（ｃ）に示すＬＥＤ照明器具Ａ３２においては、第２部１２および一対の連結部１３の厚さが、第１部１１よりも厚い。第２部１２および一対の連結部１３の厚さは、第１ＬＥＤ基板２１および第２ＬＥＤ基板２２の厚さよりも厚い。また、第２部１２および一対の連結部１３の厚さは、電源部７の電源基板７１の厚さよりも厚くてもよい。第１部１１の厚さは、第１ＬＥＤ基板２１、第２ＬＥＤ基板２２および電源基板７１よりも薄い。
【００８２】
同図（ｄ）に示すＬＥＤ照明器具Ａ３３においては、第１部１１、第２部１２および一対の連結部１３の厚さが、第１ＬＥＤ基板２１および第２ＬＥＤ基板２２の厚さよりも厚い。また、第１部１１、第２部１２および一対の連結部１３の厚さは、電源部７の電源基板７１の厚さよりも厚くてもよい。
【００８３】
このような実施形態によっても、光源部２の剛性不足による不具合を抑制することができる。また、ＬＥＤ照明器具Ａ３，Ａ３１，Ａ３２，Ａ３３のように、第１部１１、第２部１２および連結部１３の少なくともいずれかの厚さを第１ＬＥＤ基板２１および第２ＬＥＤ基板２２よりも厚くすることは、支持部材１の剛性向上に好ましい。第１部１１、第２部１２および連結部１３の少なくともいずれかの厚さを空隙部１９に収容された電源基板７１よりも厚くすることは、支持部材１の剛性向上に好ましい。
【００８４】
また、ＬＥＤ照明器具Ａ１における第１部１１、第２部１２、第１傾斜部１３１および第２傾斜部１３２の少なくともいずれかの厚さを、第１ＬＥＤ基板２１および第２ＬＥＤ基板２２よりも厚くしてもよい。このような構成によっても、支持部材１の剛性をより高めることができる。また、ＬＥＤ照明器具Ａ２における第１部１１、第２部１２および第１傾斜部１３１の少なくともいずれかの厚さを、第１ＬＥＤ基板２１および第２ＬＥＤ基板２２よりも厚くしてもよい。このような構成によっても、支持部材１の剛性をより高めることができる。
【００８５】
本発明に係るＬＥＤ照明器具は、上述した実施形態に限定されるものではない。本発明に係るＬＥＤ照明器具の各部の具体的な構成は、種々に設計変更自在である。
【符号の説明】
【００８６】
Ａ１，Ａ２，Ａ３，Ａ３１，Ａ３２，Ａ３３：ＬＥＤ照明器具
１        ：支持部材
２        ：光源部
３        ：カバー
４Ａ，４Ｂ：キャップ
５Ａ，５Ｂ：内ホルダ
６        ：外ホルダ
７        ：電源部
１１      ：第１部
１２      ：第２部
１３      ：連結部
１４      ：第１保持部
１５      ：第２保持部
１９      ：空隙部
２１      ：第１ＬＥＤ基板
２２      ：第２ＬＥＤ基板
２３      ：ＬＥＤ
３１      ：リブ
４１Ａ，４１Ｂ：端板部
４２Ａ，４２Ｂ：筒状部
４３Ａ    ：ケーブル孔
４４Ａ，４４Ｂ：ボルト孔
４５Ａ，４５Ｂ：位置決め突起
４６Ａ，４６Ｂ：ボルトキャップ
５１Ａ    ：外端板部
５２Ａ    ：内端板部
５３Ａ，５３Ｂ：支持部材係合部
５４Ａ    ：支持板部
５５Ａ    ：係止爪
６１，６２：半筒部
７１      ：電源基板
７２      ：電子部品
８１      ：ケーブル
８２      ：Ｏリング
１１１    ：第１面
１２１    ：第２面
１３１    ：第１傾斜部
１３２    ：第２傾斜部
１３３    ：円弧状部
１３４    ：リブ
６１１，６２１：係合爪
６１２，６２２：係合部
６１３，６２３：位置決め孔
７１１    ：係止部
【図１】
2019220322.tif 000003
【図２】
2019220322.tif 000004
【図３】
2019220322.tif 000005
【図４】
2019220322.tif 000006
【図５】
2019220322.tif 000007
【図６】
2019220322.tif 000008
【図７】
2019220322.tif 000009
【図８】
2019220322.tif 000010
【図９】
2019220322.tif 000011
【図１０】
2019220322.tif 000012
【図１１】
2019220322.tif 000013
【図１２】
2019220322.tif 000014
【図１３】
2019220322.tif 000015
【図１４】
2019220322.tif 000016
【図１５】
2019220322.tif 000017
【図１６】
2019220322.tif 000018
【図１７】
2019220322.tif 000019